(57)【要約】【課題】回動体を所望の位置に利便性を向上できるヒンジ機構を提供する。【解決手段】基体３２に回動体５１を回動軸５１ａで回動自在に支持するヒンジ機構であって、回動体５１は基体３２に対して第１、第２回動位置の間を回動し、回動体５１を第１回動位置の方向に付勢する弾性部材５２を回動体５１と樹脂成形等によって同一部材により一体に設け、回動体５１は回動軸５１ａに平行な一面を開口して回動により基体３２が通過する開口部５１ｅを有するとともに、弾性部材５２は開口部５１ｅの前端からＳ字状に蛇行して基体３２の前端の回動範囲の内側に延びるＳ字状部５２ａを有し、Ｓ字状部５２ａの後端が傾斜面から成る基体３２の端面３２ａに摺動して回動体５１が回動する。【選択図】図１６
2010162083.tif 000002
【特許請求の範囲】
【請求項１】
基体に回動体を回動軸で回動自在に支持するヒンジ機構であって、前記回動体は前記基体に対して第１、第２回動位置の間を回動し、前記回動体を第１回動位置の方向に付勢する弾性部材を前記回動体と同一部材により一体に設け、
前記回動体は回動軸に平行な一面を開口して回動により前記基体が通過する開口部を有するとともに、前記弾性部材は前記開口部の前端からＳ字状に蛇行して前記基体の前端の回動範囲の内側に延びるＳ字状部を有し、前記Ｓ字状部の後端が傾斜面から成る前記基体の端面に摺動して前記回動体が回動することを特徴とするヒンジ機構。
【請求項２】
前記基体が端面を開口し、前記弾性部材がＳ字状部の後端から屈曲するとともにＳ字状部よりも狭い幅で第１回動位置で前記基体の端面よりも内側に配される屈曲部を有することを特徴とする請求項１に記載のヒンジ機構。
【請求項３】
前記基体は前記Ｓ字状部と摺動する前端と前記回動軸とを結ぶ回動半径に対して鈍角に形成して前記屈曲部と摺動する平面部を有することを特徴とする請求項２に記載のヒンジ機構。
【請求項４】
前記弾性部材が前記回動体と一体成形される樹脂成形品から成ることを特徴とする請求項１〜請求項３のいずれかに記載のヒンジ機構。
【発明の詳細な説明】
【技術分野】
【０００１】
本発明は、基体に回動体を回動自在に支持するヒンジ機構に関する。
【背景技術】
【０００２】
従来のヒンジ機構を有する電気掃除機が特許文献１に開示されている。この電気掃除機は電動送風機を内装する本体部の下方に吸込口体が配される。吸込口体は床面に対峙する吸気口を有し、電動送風機に連通する。本体部には着脱自在の延長パイプが上方に延びて装着され、延長パイプの上部に把持部が設けられる。これにより、把持部を把持して吸込口体を本体部とともに移動して掃除することができる。
【０００３】
また、延長パイプの一端は接続ホースを介して本体部に接続される。これにより、把持部を把持して本体部から脱着した延長パイプを吸込口体と独立して移動することができる。そして、延長パイプの先端から吸気して天井や家具の隙間等の掃除を行うことができる。
【０００４】
延長パイプの先端にはブラシを保持してヒンジ機構によって回動するブラシ保持部が設けられる。ヒンジ機構は基体となる延長パイプに突設した回動軸となるボスに回動体であるブラシ保持部に設けた軸孔が嵌合して形成される。これにより、ブラシ保持部を把持して約１８０゜回動させることができる。
【０００５】
延長パイプを本体部から脱着した際にブラシ保持部は延長パイプの先端開口の前方に配され、被掃除面に応じて延長パイプに対して所望の角度に傾斜して使用される。また、ブラシが上方に配されるようにブラシ保持部を回動して延長パイプを本体部に収納することができる。
【先行技術文献】
【特許文献】
【０００６】
【特許文献１】特開２００５−８７５０８号公報（第４頁−第９頁、第７図）
【発明の概要】
【発明が解決しようとする課題】
【０００７】
しかしながら、上記従来の電気掃除機によると、延長パイプに設けたブラシの使用時にブラシ保持部を使用者が把持して収納位置から使用位置に回動される。また、収納時にブラシ保持部を把持して使用位置から収納位置に回動される。このため、回動体であるブラシ保持部を基体に対して所望の位置に配置する際に使用者による作業を必要とする。従って、電気掃除機の利便性が悪い問題があった。
【０００８】
本発明は、使用者による作業を必要とせずに回動体を基体に対して所望の位置に配置できるヒンジ機構を容易に実現することを目的とする。
【課題を解決するための手段】
【０００９】
上記目的を達成するために本発明は、基体に回動体を回動軸で回動自在に支持するヒンジ機構であって、前記回動体は前記基体に対して第１、第２回動位置の間を回動し、前記回動体を第１回動位置の方向に付勢する弾性部材を前記回動体と同一部材により一体に設け、
前記回動体は回動軸に平行な一面を開口して回動により前記基体が通過する開口部を有するとともに、前記弾性部材は前記開口部の前端からＳ字状に蛇行して前記基体の前端の回動範囲の内側に延びるＳ字状部を有し、前記Ｓ字状部の後端が傾斜面から成る前記基体の端面に摺動して前記回動体が回動することを特徴としている。
【００１０】
この構成によると、弾性部材が樹脂成形等によって回動体と一体に形成され、ヒンジ機構により回動体が基体に枢支される。回動体は第１回動位置と第２回動位置のとの間を回動し、弾性部材によって第１回動位置の方向に付勢される。回動体に回動力を加えると弾性部材の付勢力に抗して回動体が第１回動位置から第２回動位置の方向に回動する。回動力を取り除くと弾性部材の付勢力によって回動体は第１回動位置に配置される。
【００１１】
弾性体には回動体の回動軸に平行な開口部に連続してＳ字状部が形成される。回動力を加えて回動体が基体に対して回動軸を中心に回動すると、Ｓ字状部の後端が基体の傾斜面から成る端面に摺動する。これにより、基体は回動体に対して相対的に回動し、開口部内を通過する。Ｓ字状部の後端は基体の前端の回動範囲の内側に配されるため、基体の相対的な回動によって傾斜面の端面と摺動して押し広げられる。これにより、Ｓ字状部が回動体を第１回動位置に付勢し、付勢力に抗して回動体が第２回動位置に配される。回動力が取り除かれるとＳ字状部の弾性によって回動体が第１回動位置に復帰する。
【００１２】
また本発明は、上記構成のヒンジ機構において、前記基体が端面を開口し、前記弾性部材がＳ字状部の後端から屈曲するとともにＳ字状部よりも狭い幅で第１回動位置で前記基体の端面よりも内側に配される屈曲部を有することを特徴としている。この構成によると、回動体が第１回動位置から第２回動位置に回動すると、Ｓ字状部の後端が基体の傾斜面から成る端面に摺動した後に屈曲部が基体の周縁に摺動する。
【００１３】
また本発明は、上記構成のヒンジ機構において、前記基体は前記Ｓ字状部と摺動する前端と前記回動軸とを結ぶ回動半径に対して鈍角に形成して前記屈曲部と摺動する平面部を有することを特徴としている。この構成によると、第２回動位置で回動体の回動力を取り除いた際に屈曲部が平面部を押圧する弾性力の周方向の分力によって回動体が第１回動位置に戻される。
【００１４】
また本発明は、上記構成のヒンジ機構において、前記弾性部材が前記回動体と一体成形される樹脂成形品から成ることを特徴としている。
【発明の効果】
【００１５】
本発明によると、回動体を第１回動位置の方向に付勢する弾性部材を回動体と同一部材により一体に形成するので、使用者による作業を必要とせずに回動体を基体に対して第１回動位置に配置できるヒンジ機構を容易に実現することができる。
【図面の簡単な説明】
【００１６】
【図１】本発明の実施形態の電気掃除機を示す斜視図
【図２】本発明の実施形態の電気掃除機を示す正面図
【図３】本発明の実施形態の電気掃除機の吸込口体を省いた側面断面図
【図４】本発明の実施形態の電気掃除機の可搬部を延長パイプと一体に取り外した状態を示す斜視図
【図５】本発明の実施形態の電気掃除機の可搬部を延長パイプと一体に取り外した状態を示す側面断面図
【図６】本発明の実施形態の電気掃除機の可搬部を取り外した状態を示す斜視図
【図７】本発明の実施形態の電気掃除機の可搬部を取り外した状態を示す側面断面図
【図８】本発明の実施形態の電気掃除機の可搬部を示す側面図
【図９】本発明の実施形態の電気掃除機の可搬部の要部を示す側面断面図
【図１０】本発明の実施形態の電気掃除機の可搬部を示す側面図
【図１１】本発明の実施形態の電気掃除機の延長パイプの先端のブラシ保持部の収納位置に配された状態を示す側面図
【図１２】本発明の実施形態の電気掃除機の延長パイプの先端のブラシ保持部の収納位置に配された状態を示す上面図
【図１３】図１１のＣ−Ｃ断面図
【図１４】図１２のＡ−Ａ断面図
【図１５】図１２のＢ−Ｂ断面図
【図１６】本発明の実施形態の電気掃除機の延長パイプの先端のブラシ保持部の掃除位置に配された状態を示す側面断面図
【図１７】本発明の実施形態の電気掃除機の延長パイプの先端のブラシ保持部の掃除位置に配された状態を示す側面図
【図１８】本発明の実施形態の電気掃除機の延長パイプの先端のブラシ保持部の掃除位置に配された状態を示す側面断面図
【図１９】本発明の実施形態の電気掃除機の延長パイプと一体の可搬部を可搬した使用状態を示す斜視図
【図２０】本発明の実施形態の電気掃除機の可搬部を可搬した使用状態を示す斜視図
【発明を実施するための形態】
【００１７】
以下に本発明の実施形態を図面を参照して説明する。図１は一実施形態の電気掃除機を示す斜視図である。電気掃除機１はアップライト型に構成され、電動送風機２及び集塵部３（いずれも図３参照）を内装する本体部４を備えている。本体部４の下方には床面に面した吸気口（不図示）を有する吸込口体５が設けられ、本体部４は吸込口体５に対して傾倒可能になっている。
【００１８】
本体部４の上方には着脱自在の延長パイプ６が鉛直方向に延びて配される。延長パイプ６の上方には着脱自在の可搬部３１が設けられる。可搬部３１には使用者が把持する把持部８が設けられる。可搬部３１と本体部４との間は伸縮自在の接続ホース７で連結される。
【００１９】
これにより、可搬部３１は延長パイプ６を介して本体部４に取り付けられた状態で把持部８を把持して吸込口体５と一体に移動する。また、可搬部３１は延長パイプ６から取り外した状態及び延長パイプ６と一体に本体部４から取り外した状態で可搬となり、把持部８を把持して吸込口体５から独立して移動させることができる。
【００２０】
図２は電気掃除機１の正面図を示し、図３は電気掃除機１の吸込口体５を省いた側面断面図を示している。本体部４内には電動送風機２の下方に集塵部３が連通して配される。吸込口体５と集塵部３とは本体部４に設けた気流路４ａにより連通する。集塵部３は集塵容器３ａを有し、旋回気流により塵埃を分離するサイクロン式になっている。本体部４の前面パネル４ｄは把手４ｅを把持して開閉可能になっており、前面パネル４ｄとともに塵埃を捕集した集塵容器３ａを着脱可能になっている。
【００２１】
本体部４の後部には上面を開口して集塵部３に連通する気流路４ｂが設けられる。気流路４ｂは気流路４ａと並列に配されて電動送風機２に連通する。気流路４ｂの上端には接続ホース７の下端が嵌合する下支持部４ｃが形成される。下支持部４ｃによって接続ホース７の下部が略鉛直に支持される。接続ホース７の上端は可搬部３１に設けられた上支持部３１ａに嵌合される。
【００２２】
延長パイプ６の後部にはフック６ｆが設けられる。接続ホース７に挿通される環状の保持部２０（図１参照）をフック６ｆに係止して接続ホース７を保持できるようになっている。
【００２３】
電動送風機２と気流路４ｂとの間には本体部４の上面を開口する延長パイプ収納部４ｆが設けられる。延長パイプ収納部４ｆには延長パイプ６の先端部分が収納され、フック１１の操作によって図４、図５に示すように本体部４から延長パイプ６が脱着可能になっている。
【００２４】
図５において、延長パイプ６は二重管に構成され、外筒３０に伸長パイプ３２が内嵌される。延長パイプ６を本体部４から脱着した際に外筒３０の先端から伸長パイプ３２を引き出して延長パイプ６を伸長することができる。伸長パイプ３２の先端には詳細を後述するブラシ５０を有したブラシ保持部５１が回動自在に配されている。
【００２５】
また、可搬部３１はフック１２の操作によって図６、図７に示すように延長パイプ６から脱着可能になっている。これにより、延長パイプ６を本体部４に取り付けた状態で可搬部３１を取り外すことができる。
【００２６】
図７において、可搬部３１は上支持部３１ａに連通する気流路３１ｂを内部に有している。接続ホース７と延長パイプ６の外筒３０とは気流路３１ｂを介して連通する。これにより、延長パイプ６は接続ホース７に連通する気流路３１ｂを延長する。
【００２７】
可搬部３１の先端にはブラシ保持部４１が回動自在に配されている。ブラシ保持部４１は先端に開口部４１ｂを有して開口部４１ｂの周囲にブラシ４０が配される。延長パイプ６内にはブラシ保持部４１が収納される収納部６ａが外筒３０に沿って設けられる。ブラシ保持部４１は気流路３１ｂに垂直な回動軸４１ａで枢支され、図中、時計回りにブラシ保持部４１を付勢する捻りバネから成る弾性部材４２が設けられる。
【００２８】
従って、可搬部３１を延長パイプ６から取り外して収納部６ａから取り出すと、図８に示すようにブラシ保持部４１が回動して掃除位置に配される。この時、ブラシ保持部４１は可搬部３１に設けたストッパ３１ｃ（図９参照）に当接して所定の角度に設置される。
【００２９】
また、可搬部３１を延長パイプ６に装着すると、弾性部材４２の付勢力に抗してブラシ保持部４１の先端が収納部６ａの内壁６ｂ（図７参照）と摺動する。これにより、ブラシ保持部４１は図７に示す収納位置に配されて収納部６ａ内に収納される。
【００３０】
図９は可搬部３１の要部の側面断面図を示している。気流路３１ｂは断面矩形に形成され、掃除位置のブラシ保持部４１は開口部４１ｂが気流路３１ｂの径方向外側まで延びて形成される。これにより、ブラシ保持部４１が掃除位置に配された可搬部３１の把持部８を把持して気流路３１ｂの外側まで広い範囲で机上等を掃除することができる。
【００３１】
この時、弾性部材４２の付勢力に抗して把持部８に対するブラシ保持部４１の角度を可変することができる。このため、被掃除面に応じてブラシ保持部４１の開口部４１ｂを所望の角度に傾斜して良好に掃除を行うことができる。
【００３２】
また、ブラシ保持部４１を掃除位置に配して把持部８を把持した際にブラシ保持部４１の前方となる前部４１ｃは開口部４１ｂの上方が塞がれており、後方となる後部４１ｄは開放されている。開放された後部４１ｄの内面が気流路３１ｂの側壁に摺動してブラシ保持部４１が回動する。このため、開口部４１ｂの周囲に設けられるブラシ４０は平面視コ字状に配される。
【００３３】
ブラシ保持部４１は弾性部材４２によって掃除位置の方向に付勢されるため、延長パイプ６から可搬部３１を取り外した際に使用者による回動操作を必要とせず掃除位置に配される。これにより、ブラシ４０やブラシ保持部４１に付着する塵埃に触れずに直ちに掃除を行うことができる。
【００３４】
また、ブラシ保持部４１は収納部６ａに収納される際に内壁６ｂ（図７参照）と摺動して弾性部材４２の付勢力に抗して回動するため、使用者による回動操作を必要とせず収納位置に配される。これにより、ブラシ４０やブラシ保持部４１に付着する塵埃に触れずに迅速に可搬部３１を延長パイプ６に取り付けてブラシ保持部４１を収納することができる。
【００３５】
この時、回動軸４１ａは気流路３１ｂの径方向の外側であって掃除位置で使用する際に気流路３１ｂに対して前方となる側に配される。このため、ブラシ保持部４１が掃除位置と収納位置との間を気流路３１ｂの前方を遮らずに９０゜以下の小さい回動角度で回動する。これにより、収納位置で気流路３１ｂの前方が塞がれずに延長パイプ６の外筒３０と気流路３１ｂとを連通させることができる。
【００３６】
図１０は収納部６ａにブラシ保持部４１を収納した状態の可搬部３１の側面図を示している。延長パイプ６の側面にはブラシ保持部４１の後部４１ｄに配されたブラシ４０の一部が露出する窓部６ｄが形成される。これにより、ブラシ４０が視認可能になり、延長パイプ６から可搬部３１を取り外してブラシ４０による掃除が可能であることを使用者に容易に知らせることができる。
【００３７】
この時、ブラシ保持部４１の開口部４０ｂが形成される端面にブラシ４０が設けられる。このため、把持部８を把持した際にブラシ４０に向かう使用者の視線がブラシ保持部４１によって遮られる。これにより、塵埃の付着するブラシ４０を容易に視認できないため使用時の清潔感の低下を防止することができる。
【００３８】
図１１、図１２は伸長パイプ３２の先端のブラシ保持部５１を示す側面図及び上面図を示している。また、図１３は図１１のＣ−Ｃ断面図を示し、図１４、図１５はそれぞれ図１２のＡ−Ａ断面図及びＢ−Ｂ断面図を示している。
【００３９】
ブラシ保持部５１は被掃除面に対向する開口部５１ｂを先端に有し、開口部５１ｂの周囲にブラシ５０が配される。ブラシ保持部５１は伸長パイプ３２の側壁に設けた回動軸５１ａで枢支され、回動自在に保持される。伸長パイプ３２に設けられるストッパ３２ｂ、３２ｃにブラシ保持部５１が当接してブラシ保持部５１の回動範囲が規制される。延長パイプ６を延長パイプ収納部４ｆに収納する際にブラシ保持部５１は図１１に示すようにストッパ３２ｂに当接する収納位置に配される。収納位置でブラシ保持部５１は伸長パイプ３２の延長上に配される。
【００４０】
また、ブラシ保持部５１は収納位置に配された際に伸長パイプ３２の開口する端面３２ａに対して前方となる前部５１ｃは開口部５１ｂの上方が塞がれ、後方となる後部５１ｄは開放されている。開放された後部５１ｄの内面が伸長パイプ３２の側壁に摺動してブラシ保持部５１が回動する。このため、開口部５１ｂの周囲に設けられるブラシ５０は平面視コ字状に配される。
【００４１】
ブラシ保持部５１は開口部５１ｂに対向する上面に回動軸５１ａに平行な上面開口部５１ｅが形成される。ブラシ保持部５１の回動によって上面開口部５１ｅ内を伸長パイプ３２の上壁３２ｆが通過する。上面開口部５１ｅには樹脂成形品から成るブラシ保持部４１と一体成形される弾性部材５２が配される。弾性部材５２によって上面開口部５１ｅが塞がれて気流漏れを防止することができる。
【００４２】
尚、回動軸５１ａ、弾性部材５２及びストッパ３２ｂ、３２ｃは基体となる伸長パイプ３２に対して回動体となるブラシ保持部５１を掃除位置と収納位置との間を回動自在に支持するヒンジ機構を構成する。
【００４３】
弾性部材５２は上面開口部５１ｅの前端から後方（伸長パイプ３２側）に延びてＳ字状に蛇行するＳ字状部５２ａを有している。伸長パイプ３２の端面３２ａは傾斜面に形成され、Ｓ字状部５２ａの後端は伸長パイプ３２の上壁前端の相対的な回動範囲の内側に配されて端面３２ａに当接する。また、弾性部材５２はＳ字状部５２ａの後端から上方に屈曲する屈曲部５２ｂを有している。屈曲部５２ｂはＳ字状部５２ａよりも幅が狭く、収納位置で端面３２ａよりも伸長パイプ３２の内側に配される。
【００４４】
ブラシ保持部５１を前部５１ｃが上方となる方向（図１１において時計回り）に回動させると、Ｓ字状部５２ａが端面３２ａと摺動する。この時、蛇行するＳ字状部５２ａが傾斜面の端面３２ａに押し下げられて上下方向に広がるため、ブラシ保持部５１は弾性部材５２によって収納位置の方向に付勢される。
【００４５】
そして、弾性部材の付勢力に抗してブラシ保持部５１を回動すると、ブラシ保持部５１は図１６に示すように収納位置に対して傾斜した掃除位置に配される。ブラシ保持部５１に配されるブラシ５０の前端を被掃除面に当接して延長パイプ６を回動させることにより、容易にブラシ保持部５１を掃除位置に配することができる。これにより、延長パイプ６と一体の可搬部３１の把持部８を把持して天井面等を掃除することができる。
【００４６】
この時、弾性部材５２の付勢力に抗して把持部８に対するブラシ保持部５１の角度を可変することができる。このため、被掃除面に応じてブラシ保持部５１の開口部５１ｂを所望の角度に傾斜して良好に掃除を行うことができる。また、被掃除面からブラシ５０を離すと、弾性部材５２の付勢力によってブラシ保持部５１が収納位置に戻る。
【００４７】
掃除位置で角度を可変のブラシ保持部５１は図１７、図１８に示すようにストッパ３２ｃに当接して伸長パイプ３２に対して開口部５１ｂが略垂直に配されるまで回動できる。この時、弾性部材５２の屈曲部５２ｂが伸長パイプ３２の上壁３２ｆの端部の平面部３２ｄに摺動する。屈曲部５２ｂによって弾性部材５２と伸長パイプ３２の上壁３２ｆとの摺動範囲を大きくし、ブラシ保持部５１の回動範囲を大きくすることができる。
【００４８】
平面部３２ｄは回動軸５１ａと伸長パイプ３２の上壁前端とを結ぶ回動半径に対して鈍角に形成される。このため、ブラシ保持部５１は被掃除面から離れると屈曲部５２ｂが平面部３２ｄを押圧する弾性力の周方向の分力によって収納位置に戻される。尚、平面部３２ｄと屈曲部５２ｂとの摩擦力が大きい場合は図１８、図１９の位置でブラシ保持部５１を維持されるが、延長パイプ６の角度を僅かに可変するとブラシ保持部５１が収納位置に戻る。
【００４９】
ブラシ保持部５１は弾性部材５２によって収納位置の方向に付勢されるため、可搬部３１と一体の延長パイプ６を収納する際に使用者による回動操作を必要とせず収納位置に配される。これにより、ブラシ５０やブラシ保持部５１に付着する塵埃に触れずに迅速に延長パイプ６と一体の可搬部３１を本体部４に取り付けることができる。
【００５０】
また、ブラシ５０を被掃除面に当接することでブラシ保持部５１が使用者による回動操作を必要とせず掃除位置に配される。これにより、ブラシ５０やブラシ保持部５１に付着する塵埃に触れずに直ちに掃除を行うことができる。
【００５１】
上記構成の電気掃除機１において、延長パイプ６を本体部４に装着した状態で電動送風機２が駆動されると、吸込口体５の吸気口（不図示）から塵埃とともに空気が吸い込まれる。吸気口から吸い込まれた空気は気流路４ａを介して集塵部３に流入し、旋回による遠心力によって塵埃が分離される。分離された塵埃は集塵容器３ａに堆積し、前面パネル４ｄを開いて廃棄される。集塵部３によって塵埃が除去された空気は電動送風機２が配される室内を通って排気口（不図示）から排気される。これにより、床面の掃除が行われる。
【００５２】
この時、延長パイプ６と延長パイプ収納部４ｆ内面との間はパッキン（不図示）によりシールされており、延長パイプ収納部４ｆと気流路４ｂとの間に気流が流通しない。これにより、電気掃除機１の仕事率低下が防止される。
【００５３】
フック１１の操作によって延長パイプ６と一体に可搬部３１を本体部４から脱着すると、延長パイプ６の先端から伸長パイプ３２が引き出される。この時、ブラシ保持部５１は収納位置に配される。電動送風機２を駆動すると伸長パイプ３２の先端のブラシ保持部５１の開口部５１ｂから塵埃とともに空気が吸い込まれる。開口部５１ｂから吸い込まれた空気は伸長パイプ３２、外筒３０、気流路３１ｂ、接続ホース７を流通し、気流路４ｂを介して集塵部３に流入する。
【００５４】
これにより、図１９に示すように室内の上方に配される空気調和機、天井面、家具の隙間等の掃除を楽に行うことができる。この時、ブラシ５０が被掃除面に当接してブラシ保持部５１が掃除位置に配される。
【００５５】
また、フック１２の操作によって可搬部３１を本体部４から脱着すると、ブラシ保持部４１が弾性部材４２により掃除位置に配される。電動送風機２を駆動するとブラシ保持部４１の開口部４１ｂから塵埃とともに空気が吸い込まれる。開口部４１ｂから吸い込まれた空気は気流路３１ｂ、接続ホース７を流通し、気流路４ｂを介して集塵部３に流入する。これにより、図２０に示すように机上等の掃除を楽に行うことができる。
【００５６】
本実施形態によると、収納位置（第１回動位置）と掃除位置（第２回動位置）の間を回動する回動体となるブラシ保持部５１を収納位置の方向に付勢する弾性部材５２がブラシ保持部５１と同一部材により一体に形成される。従って、使用者により把持してブラシ保持部５１を回動させる作業を必要とせず、ブラシ保持部５１を基体となる伸長パイプ３２に対して第１回動位置に配置できるヒンジ機構を容易に実現することができる。これにより、塵埃が付着するブラシ保持部５１が手指に触れる機会が減少し、電気掃除機１の利便性を向上することができる。
【００５７】
また、弾性部材５２が回動軸５１ａに平行な上面開口部５１ｅの前端からＳ字状に蛇行するＳ字状部５２ａを有する。Ｓ字状部５２ａは伸長パイプ３２の上壁３２ｄの前端の回動範囲の内側に延び、Ｓ字状部５２ａの後端が傾斜面から成る伸長パイプ３２の端面３２ａに摺動する。このため、Ｓ字状部５２ａが端面３２ａを押圧してブラシ保持部５１を容易に収納位置（第１回動位置）に付勢することができる。
【００５８】
また、基体となる伸長パイプ３２が端面３２ａを開口し、屈曲部５２ｂがＳ字状部５２ａの後端から屈曲してＳ字状部５２ａよりも狭い幅で収納位置（第１回動位置）で伸長パイプ３２の端面３２ａよりも内側に配される。これにより、弾性部材５２と伸長パイプ３２の上壁３２ｆとの摺動範囲を大きくし、ブラシ保持部５１の回動範囲を大きくすることができる。
【００５９】
また、基体となる伸長パイプ３２はＳ字状部５２ａと摺動する前端と回動軸５１ａとを結ぶ回動半径に対して鈍角に形成して屈曲部５２ｂと摺動する平面部３２ｄを有する。これにより、ブラシ保持部５１が被掃除面から離れて回動力が取り除かれると、屈曲部５２ｂが平面部３２ｄを押圧する弾性力の周方向の分力によってブラシ保持部５１を収納位置（第１回動位置）に容易に戻すことができる。
【００６０】
本実施形態において、ブラシ保持部５１から成る回動体が伸長パイプ３２から成る基体に対して回動自在で弾性部材５２により付勢されるヒンジ機構を述べているが、他の回動体及び基体に対してヒンジ機構を同様に設けてもよい。例えば、開閉される扉（回動体）を支持体（基体）に枢支するヒンジ機構において、同様の構成によって同様の効果を得ることができる。
【産業上の利用可能性】
【００６１】
本発明によると、回動するブラシを有する電気掃除機や開閉される扉等に利用することができる。
【符号の説明】
【００６２】
１    電気掃除機
２    電動送風機
３    集塵部
４    本体部
４ｆ  延長パイプ収納部
５    吸込口体
６    延長パイプ
６ａ  収納部
６ｂ  内壁
６ｄ  窓部
７    接続ホース
８    把持部
９    可動部
１１、１２  フック
３０    外筒
３１    可搬部
３１ｂ  気流路
３２    伸長パイプ
３２ａ  端面
３２ｂ、３２ｃ  ストッパ
３２ｄ  平面部
４０、５０  ブラシ
４１、５１  ブラシ保持部
４１ａ、５１ａ  回動軸
４１ｂ、５１ｂ  開口部
５１ｅ  上面開口部
４２、５２  弾性部材
５２ａ  Ｓ字状部
５２ｂ  屈曲部
【図１】
2010162083.tif 000003
【図２】
2010162083.tif 000004
【図３】
2010162083.tif 000005
【図４】
2010162083.tif 000006
【図５】
2010162083.tif 000007
【図６】
2010162083.tif 000008
【図７】
2010162083.tif 000009
【図８】
2010162083.tif 000010
【図９】
2010162083.tif 000011
【図１０】
2010162083.tif 000012
【図１１】
2010162083.tif 000013
【図１２】
2010162083.tif 000014
【図１３】
2010162083.tif 000015
【図１４】
2010162083.tif 000016
【図１５】
2010162083.tif 000017
【図１６】
2010162083.tif 000018
【図１７】
2010162083.tif 000019
【図１８】
2010162083.tif 000020
【図１９】
2010162083.tif 000021
【図２０】
2010162083.tif 000022